(57)【要約】【課題】組み立て時の工数を削減してコストダウンを図ったアクチュエータ装置およびそのアクチュエータ装置を備えた光ピックアップ装置を提供する。【解決手段】光ピックアップ１のアクチュエータ装置３に用いられるプリントコイル基板７ａ、７ｂにおいて、コイルやランドの位置およびそれらを接続する配線パターンといった配線レイアウトを互いに同一とした同じ部品を使用する。【選択図】図８
2010257520.tif 000002
【特許請求の範囲】
【請求項１】
対物レンズと、該対物レンズを収容するレンズ収容部と、前記レンズ収容部を挟んで当該レンズ収容部の側面に互いに向い合うように取り付けられた一対のプリントコイル基板と、前記レンズ収容部と一体に成形されるとともに前記一対のプリントコイル基板と電気的に接続される線状弾性部材と、を備えたアクチュエータ装置において、
前記一対のプリントコイル基板は、互いの配線レイアウトが同一に構成されていることを特徴とするアクチュエータ装置。
【請求項２】
同一形状である一対の前記線状弾性部材が、前記レンズ収容部の中心に対して互いに点対称となるように設けられていることを特徴とする請求項１に記載のアクチュエータ装置。
【請求項３】
前記プリントコイル基板は、前記線状弾性部材と電気的に接続するための接続部が設けられ、さらに、前記線状弾性部材と電気的に接続されないダミー接続部がフォーカス用コイルの配線とトラッキング用コイルの配線に少なくとも１箇所ずつ設けられていることを特徴とする請求項１または２に記載のアクチュエータ装置。
【請求項４】
前記プリントコイル基板は、前記線状弾性部材と電気的に接続されて前記レンズ収容部を駆動させるコイルが設けられ、前記コイルを挟んで一方側に設けられた前記接続部と、他方側に設けられた前記接続部とが、前記プリントコイル基板の中心に対して点対称となる位置に設けられていることを特徴とする請求項３に記載のアクチュエータ装置。
【請求項５】
請求項１乃至４のうちいずれか一項に記載のアクチュエータ装置を備えたことを特徴とする光ピックアップ装置。
【発明の詳細な説明】
【技術分野】
【０００１】
本発明は、光ディスク再生装置などに使用される光ピックアップ装置および、該光ピックアップ装置に使用され対物レンズをフォーカスおよびトラッキング方向に駆動するアクチュエータ装置に関する。
【背景技術】
【０００２】
光ディスク再生装置などに使用される光ピックアップ装置は、ＣＤ（Compact Disc）やＤＶＤ（Digital Versatile Disc）、ＢＤ（Blu-ray Disc）などの光ディスクに記録された情報を読み取るために、光ディスクの反りや振れに対して光ディスクの記録面と対物レンズとの距離を制御するフォーカス制御と、光ディスクのトラックの偏心に対して対物レンズを追従するように制御するトラッキング制御を行っている。
【０００３】
光ピックアップ装置は、例えば、特許文献１に示すように、対物レンズを内蔵し、両側面にプリントコイル基板が固定されたレンズホルダと、線状弾性部材としてのサスペンションでレンズホルダに連結しレンズホルダを移動可能に支持したアクチュエータベースとからなるアクチュエータ装置と、光源、コリメータレンズ、ビームスプリッタなどの光学部品が収容されているピックアップケースなどから構成されている。
【０００４】
従来のアクチュエータ装置の要部を図１に示す。レンズホルダ９０は樹脂で成形されており、導電性の部材で形成されたサスペンション１１０も一体にインサート成形される。そして、サスペンション１１０は、一対のプリントコイル基板７０ａ、７０ｂに電気的に接続されており、サスペンション１１０に外部からフォーカス駆動電流またはトラッキング駆動電流を供給することで、プリントコイル基板７０ａ、７０ｂにフォーカス駆動力やトラッキング駆動力を発生させて光ディスクから信号が正確に読み取れるようにしている。
【０００５】
図２は、サスペンション１１０の形状を示した図１の透視図である。サスペンション１１０は帯状の部材がレンズホルダ９０の両側面に固定された一対のプリントコイル基板７０ａと７０ｂとを接続するように設けられている。サスペンション１１０は、図２に示したように図中Ｚ方向で上側に位置する上側サスペンション１１０ａと、図中Ｚ方向で下側に位置する下側サスペンション１１０ｂと、を備えている。上側サスペンション１１０ａ、下側サスペンション１１０ｂはそれぞれ図中のＸ方向では対称な形状をしているが、上側サスペンション１１０ａと下側サスペンション１１０ｂとは互いに異なる形状をしている。なお、サスペンション１１０ａは、図中Ｘ方向の一端側（右側）と他端側（左側）とが独立しているが、インサート整形前は双方を接続する部材により一体となっておりインサート整形後に接続部材を除去し図中に示す形状となる。サスペンション１１０ｂも同様である。
【０００６】
図３はプリントコイル基板７０ａの配線レイアウトを簡略的に示した図、図４はプリントコイル基板７０ｂの配線レイアウトを簡略的に示した図であり、共に向かいあう面を図示している。
【０００７】
プリントコイル基板７０ａは、サスペンション１１０とはんだ付けなどにより接続されるランド７０ａ１、７０ａ２、７０ａ３、７０ａ４と、フォーカス用コイル７０ａ５、７０ａ６と、トラッキング用コイル７０ａ７、７０ａ８と、が設けられている。
【０００８】
プリントコイル基板７０ｂは、サスペンション１１０とはんだ付けなどにより接続されるランド７０ｂ１、７０ｂ２、７０ｂ３、７０ｂ４と、フォーカス用コイル７０ｂ５、７０ｂ６と、トラッキング用コイル７０ｂ７、７０ｂ８と、が設けられている。
【０００９】
上述した構成のサスペンション１１０とプリントコイル基板７０ａ、７０ｂは、サスペンション１１０ａ−ランド７０ａ１−コイル７０ａ５−コイル７０ａ６−ランド７０ａ３−サスペンション１１０ａ−ランド７０ｂ１−コイル７０ｂ５−コイル７０ｂ６−ランド７０ｂ４−サスペンション１１０ｂと接続された回路でフォーカスを制御し、サスペンション１１０ａ−ランド７０ａ４−コイル７０ａ８−コイル７０ａ７−ランド７０ａ２−サスペンション１１０ａ−ランド７０ｂ２−コイル７０ｂ８−コイル７０ｂ７−ランド７０ｂ３−サスペンション１１０ｂと接続された回路でトラッキングを制御する。
【先行技術文献】
【特許文献】
【００１０】
【特許文献１】特開２００８−１０３００２号公報
【発明の概要】
【発明が解決しようとする課題】
【００１１】
アクチュエータ装置においては、レンズホルダの駆動力中心や重量中心をレンズ位置に合わせなければならず、これを満たそうとすると、サスペンション１１０は図２に示したようにＸ方向で対称になるように構成することが望ましい。また、プリントコイル基板７０ａと７０ｂとは上述したように回路上直列に接続しているために、サスペンション１１０はプリントコイル基板７０ａと７０ｂとを接続する帯状部を複数備えているが、サスペンション１１０の形状が複雑になると重量増を招き、結果アクチュエータ装置の感度低下を招いてしまうという問題がある。そのため、プリントコイル基板７０ａ、７０ｂのランドやコイルの位置や配線パターンといった配線レイアウトはサスペンション１１０の構成を優先させて、プリントコイル基板７０ａと７０ｂとは互いに異なる配線レイアウトとなっていることが一般的であった。
【００１２】
しかしながら、このような従来のアクチュエータ装置では、プリントコイル基板７０ａと７０ｂの配線レイアウトが互いに異なるため、誤って組み立ててしまうことがあり、誤って組み立てないためには部品管理などが必要となって組み立て時の工数が多くなってしまうという問題があった。
【００１３】
そこで、本発明は、組み立て時の工数を削減してコストダウンを図ったアクチュエータ装置およびそのアクチュエータ装置を備えた光ピックアップ装置を提供することを課題とする。
【課題を解決するための手段】
【００１４】
上記課題を解決するために、請求項１に記載のアクチュエータ装置は、対物レンズと、該対物レンズを収容するレンズ収容部と、前記レンズ収容部を挟んで当該レンズ収容部の側面に互いに向い合うように取り付けられた一対のプリントコイル基板と、前記レンズ収容部と一体に成形されるとともに前記一対のプリントコイル基板と電気的に接続される線状弾性部材と、を備えたアクチュエータ装置において、前記一対のプリントコイル基板は、互いの配線レイアウトが同一に構成されていることを特徴としている。
【図面の簡単な説明】
【００１５】
【図１】従来のアクチュエータ装置の要部を示した斜視図である。
【図２】図１に示したアクチュエータ装置の透視図である。
【図３】プリントコイル基板の配線レイアウトを簡略的に示した図である。
【図４】プリントコイル基板の配線レイアウトを簡略的に示した図である。
【図５】本発明の一実施例にかかる光ピックアップ装置の要部斜視図である。
【図６】図１に示された光ピックアップ装置のアクチュエータ装置の要部斜視図である。
【図７】図２に示されたアクチュエータ装置のアクチュエータ可動部の要部斜視図である。
【図８】本実施例におけるプリントコイル基板の配線レイアウトの一例を簡略化して示した図である。
【図９】本実施例におけるサスペンションと図４に示したプリントコイル基板との接続を示す図である。
【発明を実施するための形態】
【００１６】
以下、本発明の一実施形態にかかるアクチュエータ装置を説明する。本発明の一実施形態にかかるアクチュエータ装置は、一対のプリントコイル基板の配線レイアウトが、同一になるように構成されているので、プリントコイル基板が１種類の部品で済み、組み立て時に部品管理を行うことが無く工数を削減することができる。また、部品の種類が削減されるのでコストダウンを図れる。
【００１７】
また、同一形状である一対の線状弾性部材が、レンズ収容部の中心に対して互いに点対称となる位置に設けられてもよい。このようにすることにより、線状弾性部材も１種類にすることができ、工数や部品点数の更なる削減をすることができる。
【００１８】
また、プリントコイル基板は、線状弾性部材と電気的に接続するための接続部が設けられ、さらに、線状弾性部材と電気的に接続されないダミー接続部がフォーカス用コイルの配線とトラッキング用コイルの配線に少なくとも１箇所ずつ設けられていてもよい。このようにすることにより、プリントコイル基板の配線レイアウトを同一にするのが容易となり、また、線状弾性部材も複雑な形状にする必要が無くなる。
【００１９】
また、プリントコイル基板は、線状弾性部材と電気的に接続されてレンズ収容部を駆動させるコイルが設けられ、コイルを挟んで一方側に設けられた接続部と、他方側に設けられた接続部とが、プリントコイル基板の中心に対して点対称となる位置に設けられていてもよい。このようにすることにより、プリントコイル基板の配線レイアウトを同一にするのが容易となり、また、線状弾性部材も同じ形状を一対用いることができる。
【００２０】
また、上述したアクチュエータ装置を光ピックアップ装置に備えてもよい。このようにすることにより、光ピックアップ装置における組み立て工数を削減することができる。また、部品の種類が削減されるのでコストダウンを図れる。
【実施例】
【００２１】
以下、本発明の一実施例にかかる光ピックアップ装置としてのピックアップ装置１を図５ないし図９を参照して説明する。ピックアップ装置１は、ＣＤ、ＤＶＤ、ＢＤ等の光ディスク再生装置などに用いられ、光ディスクに記録された情報を読み取るために、光ディスクの反りや振れに対して光ディスクの記録面と対物レンズとの距離を制御するフォーカス制御と、光ディスクのトラックの偏心に対して対物レンズを追従するように制御するトラッキング制御を行う。図５は本発明の一実施例にかかるピックアップ装置１の要部斜視図である。ピックアップ装置１は図５に示すようにピックアップケース２と、アクチュエータ装置３と、を備えている。
【００２２】
ピックアップケース２は、アクチュエータ装置３が固定されるとともに、図示しない光源、コリメータレンズ、ビームスプリッタなどの光学部品が収容されている。また、ピックアップケース２は、図示しないモータやモータからの駆動力を伝達するリードスクリューなどによって、図５に示す軸２０上を光ディスクの径方向に沿って移動可能となっている。
【００２３】
一実施例にかかるアクチュエータ装置３は、図６に示すように、アクチュエータケース４と、アクチュエータ可動部５と、を備えている。
【００２４】
アクチュエータケース４は、アクチュエータ可動部５の後述するレンズホルダ９をフォーカスやトラッキング方向に移動させるためのマグネットなどが含まれ、アクチュエータ可動部５のうち後述するホルダサスペンション８のサスペンションベース部１０が固定されている。
【００２５】
アクチュエータ可動部５は、図６や図７などに示すように、対物レンズ６と、プリントコイル基板７ａ、７ｂと、ホルダサスペンション８と、を備えている。なお、以下、図７などにおいて、アクチュエータ可動部５の後述するレンズホルダ９の長手方向（プリントコイル基板７ａ、７ｂが取り付けられている面）と平行な方向をＸ方向と記し、後述するサスペンション１１の線状部１１ａと平行でかつ前記Ｘ方向と直交する方向をＹ方向と記し、前記Ｘ方向と前記Ｙ方向の全てと直交する方向をＺ方向と記す。
【００２６】
対物レンズ６は、光源から発せられ光学部品を経由してきた光を光ディスクに照射することおよび光ディスクから反射された光を光学部品へ出力するためのレンズである。
【００２７】
プリントコイル基板７ａ、７ｂは、基板上にフォーカス制御用コイル、トラッキング制御用コイル、サスペンション１１をはんだ付けにて電気的に接続するための複数のランド、及び前記コイルとランドとを接続する配線が設けられており、ホルダサスペンション８のレンズホルダ９を挟んでレンズホルダ９の長手方向の側面に一対が接着剤などで取り付けられる。
【００２８】
ホルダサスペンション８は図７に示すようにレンズホルダ９と、サスペンションベース部１０と、サスペンション１１と、を備えている。
【００２９】
レンズ収容部としてのレンズホルダ９は、例えばＬＣＰ（液晶ポリマ）等の樹脂によって略箱型に成形され、略箱型の箱部９ｈと、箱部９ｈの端部から突出した固定アーム部９ｄと凸部９ｅから構成されている。箱部９ｈの天面部９ａの略中央には対物レンズ６を設置するための開口孔９ｂが設けられている。
【００３０】
サスペンションベース部１０は、レンズホルダ９と同様に例えばＬＣＰ（液晶ポリマ）等の樹脂によって略箱型に成形されている。サスペンションベース部１０は、アクチュエータ装置３をピックアップケース２にネジなどによって固定するための固定部１０ａが端部に設けられている。サスペンションベース部１０の両端部にはサスペンション１１を固定するためのサスペンション固定部１０ｂが設けられている。
【００３１】
サスペンション１１は、例えば銅合金などの弾性力を備えるとともに導電性の良い部材で形成され、サスペンションベース部１０のサスペンション固定部１０ｂとレンズホルダ９の固定アーム部９ｄとを結びレンズホルダ９を移動可能に支持した線状部１１ａと、線状部１１ａから分岐しプリントコイル基板７と電気的に接続される接続部１１ｂと、を備えている。また、サスペンション１１は、サスペンションベース部１０のサスペンション固定部１０ｂにサスペンションベース部１０を貫通するように固定され、サスペンション１１の貫通した部分は、外部からフォーカス制御やトラッキング制御のための電流が供給される端子１１ｄとなる。つまり、サスペンション１１は、レンズホルダ９に対するサスペンション機能の他に、プリントコイル基板７に電流を供給する配線の機能も合わせて持つ。
【００３２】
レンズホルダ９とサスペンションベース部１０とサスペンション１１は、インサート成形によりレンズホルダ９とサスペンションベース部１０を成形する際に一体に成形される。すなわち、図７に示すようにサスペンション１１の線状部１１ａの一端がサスペンションベース部１０のサスペンション固定部１０ｂに内包され、線状部１１ａの他端および接続部１１ｂの一部がレンズホルダ９の固定アーム部９ｄ、凸部９ｅに内包されるとともに、サスペンション１１の他の部分は露出した状態で固定される。
【００３３】
図８に本実施例におけるプリントコイル基板７ａ、７ｂのコイルとランドの位置およびそれらを接続する配線パターンといった配線レイアウトの一例を簡略化して示す。図９に、本実施例におけるサスペンション１１と図８に示したプリントコイル基板７ａ、７ｂとの接続を示す。なお、図９において、レンズホルダ９およびサスペンション１１の形状は、説明の都合上図７よりも簡略化して示している。
【００３４】
図８（ａ）では、プリントコイル基板７ａのコイルとランドの位置およびそれらを接続する配線パターンといった配線レイアウトを示している。プリントコイル基板７ａには、フォーカス制御用のコイル７ａ１とトラッキング制御用のコイル７ａ２、７ａ３と、後述するサスペンション１１とはんだ付けにて電気的に接続するためのランド７ａ４、７ａ５、７ａ６、７ａ７、７ａ８、７ａ９と、が設けられ、これらコイルとランドとを接続する配線が設けられている。図８（ｂ）はプリントコイル基板７ｂの配線レイアウトを示しているが、プリントコイル基板７ａと配線レイアウトが同一となっている。つまり、プリントコイル基板７ａと７ｂとは同じものが使用される。なお、図８（ａ）、（ｂ）は互いに向かいあう面を図示している。
【００３５】
本実施例では、図８に示すように、Ｚ方向におけるプリントコイル基板７ａの一方側に設けられたランド７ａ４、７ａ５、７ａ６と、コイル７ａ１、７ａ２、７ａ３を挟んで他方側に設けられたランド７ａ７、７ａ８、７ａ９と、はプリントコイル基板の中心に対して点対称となる位置に設けられている。プリントコイル基板７ｂも同様である。この配置は、後述するサスペンション１１を１種類で構成するために必要な配置である。
【００３６】
そして、図９に示すように図８で示したプリントコイル基板７ａ、７ｂがレンズホルダ９に固定されるとともに、サスペンション１１と電気的に接続される。図９に示したサスペンション１１も、従来と同様にインサート成型前は図中Ｘ方向の一端側（右側）と他端側（左側）とを接続する部材により一体に構成された１つの部品となっており、インサート成型後に接続部材を除去し図中に示す形状となる。また、図９に示したようにサスペンション１１は、Ｚ方向の一方側にあるサスペンション１１と、コイル７ａ１、７ａ２、７ａ３を挟んで他方にあるサスペンション１１とは、同じ形状のものを、レンズホルダの中心（図９のＸＺ平面上においてプリントコイル基板の中心と等しい）に対して点対称となるように設けられている。このように配置することで、レンズホルダの中心を挟んでサスペンション１１がレンズホルダを支持する力が均等となるため、１種類のサスペンション１１を用いてもレンズホルダを支持するバランスを適正に維持することができる。
【００３７】
このようにして接続されたプリントコイル基板７ａ、７ｂとサスペンション１１とは、フォーカス制御用として、サスペンション１１−ランド７ｂ４−コイル７ｂ２−コイル７ｂ３−ランド７ｂ５−サスペンション１１−ランド７ａ６−ランド７ａ５−コイル７ａ３−コイル７ａ２−ランド７ａ４−サスペンション１１と接続された回路が構成され、トラッキング制御用として、サスペンション１１−ランド７ａ９−コイル７ａ１−ランド７ａ８−ランド７ａ７−サスペンション１１−ランド７ｂ８−コイル７ｂ１−ランド７ｂ９−サスペンション１１と接続された回路が構成される。
【００３８】
上述した回路構成から明らかなように、プリントコイル基板７ａのランド７ａ５と７ａ８、プリントコイル基板７ｂのランド７ｂ６と７ｂ７はサスペンション１１が接続されないダミーランドとなっている。また、プリントコイル基板７ｂのランド７ｂ５と７ｂ６間の配線と、ランド７ｂ７と７ｂ８間の配線は電流が流れないダミー配線となっている。すなわち、ランド７ａ５と７ｂ６はトラッキング制御用の回路に含まれるダミーランド、ランド７ａ８と７ｂ７はフォーカス制御用の回路に含まれるダミーランドとなる。
【００３９】
つまり、プリントコイル基板７ａと７ｂとを同一の部品として構成するために、サスペンション１１が接続されないダミーランドや電流が流れないダミー配線となる部分を持った配線レイアウトとしている。
【００４０】
このような構成を持ったアクチュエータ装置３は、ホルダサスペンション８のサスペンションベース部１０に固定されているサスペンション１１の端子１１ｄにフォーカス駆動電流やトラッキング駆動電流を流すと、サスペンション１１を経由してプリントコイル基板７ａ、７ｂに電流が流れるため、フォーカス方向の駆動力やトラッキング方向の駆動力を発生させることができ、それにより対物レンズ６を光ディスクの信号が正確に読めるように移動させることができる。
【００４１】
本実施例によれば、光ピックアップ１のアクチュエータ装置３に用いられるプリントコイル基板７ａ、７ｂのコイルやランドの位置およびそれらを接続する配線パターンといった配線レイアウトを互いに同一としたので、プリントコイル基板７ａ、７ｂが１種類の部品で済み、組み立て時に部品管理を行うことが無く工数を削減することができる。また、部品の種類が削減されるのでコストダウンを図れる。
【００４２】
また、上側と下側のサスペンション１１を同一形状として、レンズホルダ９の中心に対して互いに点対称な位置に設けられているので、サスペンション１１も１種類にすることができ、工数や部品点数の更なる削減をすることができる。
【００４３】
また、プリントコイル基板７ａ、７ｂには、サスペンション１１が接続されないダミーランドがフォーカス用コイルの配線とトラッキング用コイルの配線に少なくとも１箇所ずつ設けられているので、プリントコイル基板７ａ、７ｂの配線レイアウトを同一にするのが容易となり、また、サスペンション１１も複雑な形状にする必要が無くなる。
【００４４】
また、プリントコイル基板７ａの中心線ｘの一方側に設けられたランド７ａ４、７ａ５、７ａ６と、他方側に設けられたランド７ａ７、７ａ８、７ａ９とは、プリントコイル基板の中心に対して互いに点対称な位置に設けられているので、プリントコイル基板７ａの配線レイアウトを同一にするのが容易となり、また、サスペンション１１も複雑な形状にする必要が無くなる。勿論プリントコイル基板７ｂも同様である。
【００４５】
前述した実施例によれば、以下のアクチュエータ装置３が得られる。
【００４６】
（付記）対物レンズ６と、樹脂で成形されかつ該対物レンズ６を収容するレンズホルダ９と、レンズホルダ９を挟んで当該レンズホルダ９の側面に互いに向い合いように取り付けられた一対のプリントコイル基板７ａ、７ｂと、レンズホルダ９と一体に成形されるとともにプリントコイル基板７ａ、７ｂと電気的に接続されるサスペンション１１と、を備えたアクチュエータ装置３において、
一対のプリントコイル基板７ａ、７ｂは、互いの配線レイアウトが同一に構成されていることを特徴とするアクチュエータ装置３。
【００４７】
このアクチュエータ装置３によれば、プリントコイル基板７ａ、７ｂが１種類の部品で済み、組み立て時に部品管理を行うことが無く工数を削減することができる。また、部品の種類が削減されるのでコストダウンを図れる。
【００４８】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００４９】
１        ピックアップ装置（光ピックアップ装置）
３        アクチュエータ装置
６        対物レンズ
７ａ        プリントコイル基板
７ａ１      ランド（接続部）
７ａ２      ランド（接続部）
７ａ３      ランド（接続部）
７ａ４      ランド（接続部）
７ａ５      ダミーランド（ダミー接続部）
７ａ６      ランド（接続部）
７ａ７      ランド（接続部）
７ａ８      ダミーランド（ダミー接続部）
７ａ９      ランド（接続部）
７ｂ        プリントコイル基板
７ｂ１      ランド（接続部）
７ｂ２      ランド（接続部）
７ｂ３      ランド（接続部）
７ｂ４      ランド（接続部）
７ｂ５      ランド（接続部）
７ｂ６      ダミーランド（ダミー接続部）
７ｂ７      ダミーランド（ダミー接続部）
７ｂ８      ランド（接続部）
７ｂ９      ランド（接続部）
９        レンズホルダ（レンズ収容部）
１１      サスペンション（線状弾性部材）
【図１】
2010257520.tif 000003
【図２】
2010257520.tif 000004
【図３】
2010257520.tif 000005
【図４】
2010257520.tif 000006
【図５】
2010257520.tif 000007
【図６】
2010257520.tif 000008
【図７】
2010257520.tif 000009
【図８】
2010257520.tif 000010
【図９】
2010257520.tif 000011